(57)【要約】【課題】鉄筋と充填剤とシースによる継手部が弾性限界値を越えて応力が掛かっても容易にかつ突然切断せずにシースが適宜に伸びて安全な分割式鉄筋コンクリート構造物要素の継手構造を提供する。【解決手段】突出鉄筋５の周囲にブリキ製のスパイラルシースパイプ６を挿入するスパイラルシースパイプ挿入孔８を有する対向の鉄筋コンクリート構造物１、１とし、下方の鉄筋コンクリート構造物１の上向き開口のスパイラルシースパイプ挿入孔８にスパイラルシースパイプ６を挿入し、スパイラルシースパイプ６に無収縮性の充填剤のグラウト７を充填し、この上に下向きのスパイラルシースパイプ挿入孔８と突出鉄筋５を有する鉄筋コンクリート構造物１を載せ、下向き突出鉄筋５を上向き突出鉄筋５に重ねてグラウト７内に挿入し、グラウトの硬化を待って重ねた突出鉄筋５、５とスパイラルシースパイプ６を接合一体化する。【選択図】        図１
2004360335.tif 000002
【特許請求の範囲】
【請求項１】
上下あるいは前後に当接して配置した一組の分割式鉄筋コンクリート構造物要素の突出鉄筋からなる継手同士を軸方向に接合して一体の鉄筋コンクリート構造物に接合する方法において、それぞれの分割式鉄筋コンクリート構造物要素の接合端面に突出鉄筋の周囲に接合相手の突出鉄筋を重ねて挿入可能なスパイラルシースパイプ挿入孔を形成して一組の分割式鉄筋コンクリート構造物要素とし、この一組の分割式鉄筋コンクリート構造物要素の内の下方または後方に配置する分割式鉄筋コンクリート構造物要素の上向きまたは前向きの接合端面に形成のスパイラルシースパイプ挿入孔にスパイラルシースパイプの概略１／２長さを挿入し、この挿入したスパイラルシースパイプ内に無収縮性の充填剤を充填し、この下方または後方に配置する分割式鉄筋コンクリート構造物要素上に下向きまたは後向きのスパイラルシースパイプ挿入孔と下向きまたは後向きの突出鉄筋を下向きまたは後向きの接合端面に有する分割式鉄筋コンクリート構造物要素を当接し、上向きまたは後向きに突出するスパイラルシースパイプの概略長さを下向きまたは後向きのスパイラルシースパイプ挿入孔に挿入すると共に下向きまたは後向きの突出鉄筋を無収縮性の充填剤内に挿入して下方または後方の分割式鉄筋コンクリート構造物要素の突出鉄筋の側部に重ねて配置し、無収縮性の充填剤の硬化を待って重ねた鉄筋とスパイラルシースパイプを無収縮性の充填剤で接合して一体化することを特徴とする分割式鉄筋コンクリート構造物要素の継手の接合方法。
【請求項２】
上下あるいは前後に当接して配置した一組の分割式鉄筋コンクリート構造物要素の突出鉄筋からなる継手同士を軸方向に接合して一体の鉄筋コンクリート構造物に接合する方法において、それぞれの分割式鉄筋コンクリート構造物要素の接合端面に突出鉄筋の周囲に接合相手の突出鉄筋を重ねて挿入可能なスパイラルシースパイプ挿入孔を形成して上下または前後に当接する一組の分割式鉄筋コンクリート構造物要素とし、この一組の分割式鉄筋コンクリート構造物要素のそれぞれの接合端面から垂直方向に形成のスパイラルシースパイプ挿入孔に該挿入孔長さのスパイラルシースパイプをそれぞれ挿入し、それぞれのスパイラルシースパイプに通じる充填剤孔をそれぞれの分割式鉄筋コンクリート構造物要素の表面から開口し、上下あるいは前後の分割式鉄筋コンクリート構造物要素のそれぞれのスパイラルシースパイプ内に１個の補強シースパイプを嵌挿して接合すると共に下方または後方に配置の分割式鉄筋コンクリート構造物要素に下向きまたは後向きの突出鉄筋を下向きまたは後向きの接合端面に有する上方または前方に配置の分割式鉄筋コンクリート構造物要素を当接して下向き及び上向き若しくは後向き及び前向きの突出鉄筋を重ねて配置し、無収縮性の充填剤内に挿入して下方または後方の分割式鉄筋コンクリート構造物要素の突出鉄筋の側部に重ねて配置し、無収縮性の充填剤を下方または一方の充填剤孔から注入し上方または他方の充填剤孔から流出させてスパイラルシースパイプ挿入孔内を充填し、充填剤の硬化を待って重ねた鉄筋とスパイラルシースパイプと補強シースパイプを無収縮性の充填剤で接合一体化することを特徴とする分割式鉄筋コンクリート構造物要素の継手の接合方法。
【請求項３】
上下あるいは前後に当接して配置した一組の分割式鉄筋コンクリート構造物要素の突出鉄筋からなる継手同士を軸方向に接合して一体の鉄筋コンクリート構造物に接合する方法において、上下または前後の一方の分割式鉄筋コンクリート構造物要素の鉄筋を非突出とし、この非突出の鉄筋の周囲に重ね合わせて継手とする鉄筋の長さと同じ長さのスパイラルシースパイプ挿入孔を開口してスパイラルシースパイプを挿入し、挿入したスパイラルシースパイプの両端部に分割式鉄筋コンクリート構造物要素の表面に通じる充填剤孔をそれぞれ開口し、一方の分割式鉄筋コンクリート構造物要素内に形成のスパイラルシースパイプ内に他方の分割式鉄筋コンクリート構造物要素の突出鉄筋を挿入して一方の非突出の鉄筋に重ね合わせて両分割式鉄筋コンクリート構造物要素を当接した後、下方または一方の充填剤孔から無収縮性の充填剤を注入してスパイラルシースパイプ内を充満し、無収縮性の充填剤の硬化を待って重ね合わせた鉄筋とスパイラルシースパイプを無収縮性の充填剤で接合して一体化することを特徴とする分割式鉄筋コンクリート構造物要素の継手の接合方法。
【請求項４】
スパイラルシースパイプが表面処理した軟鋼板から形成されていることを特徴とする請求項１〜３のいずれか１項に記載の分割式鉄筋コンクリート構造物要素の継手の接合方法。
【発明の詳細な説明】
【０００１】
【発明の属する技術分野】
この発明は、土木や建築における鉄筋コンクリートやコンクリート二次製品における接合端に埋設される鉄筋などの継手に関する。
【０００２】
【従来の技術】
従来、鉄筋コンクリート構造物の建設では、現場打ちにより種々の鉄筋コンクリート構造物を現場打ちで施工している。しかし、例えば大型ボックスカルバート、特に超大型ボックスカルバートになると、現場での施工の省人化、安全性、工期短縮等を考慮して、工場で分割した鉄筋コンクリート構造物としてプレキャストして生産し、このプレキャストした分割式鉄筋コンクリート構造物を現場に搬送し、現場にて組立施工する方式が採られている。
【０００３】
このように分割した構造物として工場生産したプレキャスト鉄筋コンクリート構造物の場合、継手としコンクリート内部に配筋される鉄筋相互の端部を接合するため現場で施工する継手工法として、溶接等で接合する方法、接合する端部同士の重ねた部分に金属線条を巻回して結着する重ね接ぎの工法、あるいはＰＣ鋼棒をカップラーで接合する方法等がある。
【０００４】
さらに、プレキャスト鉄筋コンクリートの継手工法として鋼管スリーブを対向する鉄筋コンクリート構造物の接合部の内部に挿入し、この鋼管スリーブ内にコンクリート構造物に配筋されて端部を突出する鉄筋を突き合わせて配設した上にこの鋼管スリーブ内にモルタルその他の膨張性充填材を充填して鉄筋と共に硬化して結合させるものがある。この膨張性充填材が表面に凸条を形成した異形鉄筋に係合し、巨大な膨張力で鉄筋とスリーブの全面に均等に作用して、継手部を剛結合してジョイントする方法である（特許文献１）。
【０００５】
以上の特許文献によるモルタル継手工法は、鉄筋と膨張性コンクリートとその鋼管スリーブのみを使用し、余分な結着や溶接等を不要とするので工法に手数を要せず、極めて作業効率の高いものである。しかし、鉄筋と膨張性コンクリートとその鋼管スリーブのみの付着力だけに依存して鉄筋相互を定着しているので、このため鋼管スリーブの長さを十分に長く採る必要があり、しかも継手部分の結合部が剛結合ジョイントであるので、継手部分に限度以上の引張力が掛かって伸びの限界値を越えると突然に切断を生じて接合が破壊され、危険を生じる恐れがあった。
【０００６】
このような継手部の結合方法により、例えば、横４０００〜９０００ｍｍ×縦３０００〜６０００ｍｍ×長さ１５００ｍｍの大きさの頂版と底版に２分割したあるいは頂版と底版と左右の側壁に４分割した大型分割式のプレキャストボックスカルバートを予め工場生産し、現場で組立て一体の大型ボックスカルバートとし、あるいは、プレキャストした分割式の大型Ｕ型開通路すなわち大型Ｕ型水路を工場生産し、現場で組立て結合して一体の大型Ｕ型開通路水路としている。
【０００７】
【特許文献１】
特開２００２−２８５７０３公報
【０００８】
【発明が解決しようとする課題】
本発明が解決しようとする課題は、スリーブ内に接続する対向する鉄筋コンクリート構造物の鉄筋端部を対向挿入し、グラウトなどの充填剤で硬化する継手において、鉄筋と充填剤とシースによる継手部がその弾性限界値を越えて容易に切断すること無く、シースが適宜に伸び、かつ、この継手部分が突然に切れることなく安全な継手を提供することである。
【０００９】
【課題を解決するための手段】
上記の課題を解決するための本発明の手段は、請求項１の発明では、上下あるいは前後に当接して配置した一組の分割式鉄筋コンクリート構造物要素の突出鉄筋からなる継手同士を軸方向に接合して一体の鉄筋コンクリート構造物に接合する方法において、それぞれの分割式鉄筋コンクリート構造物要素の接合端面に突出鉄筋の周囲に接合相手の突出鉄筋を重ねて挿入可能なスパイラルシースパイプ挿入孔を形成して一組の分割式鉄筋コンクリート構造物要素とし、この一組の分割式鉄筋コンクリート構造物要素の内の下方または後方に配置する分割式鉄筋コンクリート構造物要素の上向きまたは前向きの接合端面に形成のスパイラルシースパイプ挿入孔にスパイラルシースパイプの概略１／２長さを挿入し、この挿入したスパイラルシースパイプ内に無収縮性の充填剤を充填し、この下方または後方に配置する分割式鉄筋コンクリート構造物要素上に下向きまたは後向きのスパイラルシースパイプ挿入孔と下向きまたは後向きの突出鉄筋を下向きまたは後向きの接合端面に有する分割式鉄筋コンクリート構造物要素を当接し、上向きまたは後向きに突出するスパイラルシースパイプの概略長さを下向きまたは後向きのスパイラルシースパイプ挿入孔に挿入すると共に下向きまたは後向きの突出鉄筋を無収縮性の充填剤内に挿入して下方または後方の分割式鉄筋コンクリート構造物要素の突出鉄筋の側部に重ねて配置し、無収縮性の充填剤の硬化を待って重ねた鉄筋とスパイラルシースパイプを無収縮性の充填剤で接合して一体化することを特徴とする分割式鉄筋コンクリート構造物要素の継手の接合方法である。
【００１０】
請求項２の発明では、上下あるいは前後に当接して配置した一組の分割式鉄筋コンクリート構造物要素の突出鉄筋からなる継手同士を軸方向に接合して一体の鉄筋コンクリート構造物に接合する方法において、それぞれの分割式鉄筋コンクリート構造物要素の接合端面に突出鉄筋の周囲に接合相手の突出鉄筋を重ねて挿入可能なスパイラルシースパイプ挿入孔を形成して上下または前後に当接する一組の分割式鉄筋コンクリート構造物要素とし、この一組の分割式鉄筋コンクリート構造物要素のそれぞれの接合端面から垂直方向に形成のスパイラルシースパイプ挿入孔に該挿入孔長さのスパイラルシースパイプをそれぞれ挿入し、それぞれのスパイラルシースパイプに通じる充填剤孔をそれぞれの分割式鉄筋コンクリート構造物要素の表面から開口し、上下あるいは前後の分割式鉄筋コンクリート構造物要素のそれぞれのスパイラルシースパイプ内に１個の補強シースパイプを嵌挿して接合すると共に下方または後方に配置の分割式鉄筋コンクリート構造物要素に下向きまたは後向きの突出鉄筋を下向きまたは後向きの接合端面に有する上方または前方に配置の分割式鉄筋コンクリート構造物要素を当接して下向き及び上向き若しくは後向き及び前向きの突出鉄筋を重ねて配置し、無収縮性の充填剤内に挿入して下方または後方の分割式鉄筋コンクリート構造物要素の突出鉄筋の側部に重ねて配置し、無収縮性の充填剤を下方または一方の充填剤孔から注入し上方または他方の充填剤孔から流出させてスパイラルシースパイプ挿入孔内を充填し、充填剤の硬化を待って重ねた鉄筋とスパイラルシースパイプと補強シースパイプを無収縮性の充填剤で接合一体化することを特徴とする分割式鉄筋コンクリート構造物要素の継手の接合方法である。
【００１１】
請求項３の発明では、上下あるいは前後に当接して配置した一組の分割式鉄筋コンクリート構造物要素の突出鉄筋からなる継手同士を軸方向に接合して一体の鉄筋コンクリート構造物に接合する方法において、上下または前後の一方の分割式鉄筋コンクリート構造物要素の鉄筋を非突出とし、この非突出の鉄筋の周囲に重ね合わせて継手とする鉄筋の長さと同じ長さのスパイラルシースパイプ挿入孔を開口してスパイラルシースパイプを挿入し、挿入したスパイラルシースパイプの両端部に分割式鉄筋コンクリート構造物要素の表面に通じる充填剤孔をそれぞれ開口し、一方の分割式鉄筋コンクリート構造物要素内に形成のスパイラルシースパイプ内に他方の分割式鉄筋コンクリート構造物要素の突出鉄筋を挿入して一方の非突出の鉄筋に重ね合わせて両分割式鉄筋コンクリート構造物要素を当接した後、下方または一方の充填剤孔から無収縮性の充填剤を注入してスパイラルシースパイプ内を充満し、無収縮性の充填剤の硬化を待って重ね合わせた鉄筋とスパイラルシースパイプを無収縮性の充填剤で接合して一体化することを特徴とする分割式鉄筋コンクリート構造物要素の継手の接合方法である。
【００１２】
請求項４の発明では、スパイラルシースパイプが表面処理した軟鋼板から形成されていることを特徴とする請求項１〜３のいずれか１項に記載の分割式鉄筋コンクリート構造物要素の継手の接合方法である。
【００１３】
【発明の実施の形態】
本発明の実施の形態を図面を参照して説明する。図１は本発明の分割式鉄筋コンクリート構造物要素の継手の接合方法の第１の実施の形態の説明図で、（ａ）は下段の分割式鉄筋コンクリート構造物要素の接合端部、（ｂ）は下段の接合端部と上段の接合端部の接合直前の状態、（ｃ）は下段の接合端部と上段の接合端部の接合直後の状態を示す図である。図２は本発明の分割式鉄筋コンクリート構造物要素の継手の接合方法の第２の実施の形態の説明図で、（ａ）は下段の分割式鉄筋コンクリート構造物要素の接合端部、（ｂ）は下段の接合端部と上段の接合端部の接合直前の状態、（ｃ）は下段の接合端部と上段の接合端部の接合直後の状態を示す図である。図３は本発明の分割式鉄筋コンクリート構造物要素の継手の接合方法の第３の実施の形態の説明図で、（ａ）は下段の分割式鉄筋コンクリート構造物要素の接合端部、（ｂ）は下段の接合端部と上段の接合端部の接合直前の状態、（ｃ）は下段の接合端部と上段の接合端部の接合直後の状態を示す図である。図４は図３の本発明の接合部構造の詳細を模式的に示す模式図である。図５は本発明の継手の接合方法の対象の鉄筋コンクリート構造物がＵ型通路である場合の説明図である。図６は本発明の継手の接合方法の対象の鉄筋コンクリート構造物がボックスカルバートである場合の説明図である。図７は図６に示す鉄筋コンクリート構造物のボックスカルバートの斜視図である。
【００１４】
先ず、本発明の請求項１に係る実施の形態を上下に接合する例で説明する。この実施の形態では、接続する分割式鉄筋コンクリート構造物要素１は、工場でプレキャストした図６および図７で示す大型分割式ボックスカルバート２０とする。図７に示すように、大型分割式ボックスカルバート２０は、底版２３と左右の上向きの左右の下部側壁２５、２５からなる下部分割カルバート２１と、頂版２４と左右の下向きの左右の上部側壁２６、２６からなる上部分割カルバート２２からなる２分割方式のカルバートとする。工場生産したこれらの上下の下部分割カルバート２１と上部分割カルバート２２を施工現場に移送し、現場で対向配置して接続して大型分割式ボックスカルバート２０からなる鉄筋コンクリート構造物とする。
【００１５】
この場合、敷設する現場では、敷設する箇所の土留工、掘削工を行い、次いで基礎コンクリートを敷いて基礎工を行い、先ず、１番目の下部分割カルバート２１を据え付け、これに連設して２番目の下部分割カルバート２１を据え付ける。次いで、１番目の下部分割カルバート２１上に１番目の上部分割カルバート２２を設置して上下間を無収縮性の充填剤としてグラウト７により鉄筋４部分で両者を接合する。続いて２番目の下部分割カルバート２１上に２番目の上部分割カルバート２２を設置して上下間を無収縮性のグラウト７により鉄筋４部分で両者を接合する。次いで、２番目の下部分割カルバート２１に連設して３番目の下部分割カルバート２１を据え付け、同様に３番目の下部分割カルバート２１上に３番目の上部分割カルバート２２を設置して上下間を無収縮性のグラウト７により鉄筋４部分で両者を接合する。このようにして順次、下部分割カルバート２１、上部分割カルバート２２を接合していく。なお、１番目と２番目のカルバート同士などの用に隣接のカルバート同士の当接部分の接合は従来の慣用の接合方法によるものととする。
【００１６】
この実施の形態では、分割式鉄筋コンクリート構造物要素１、１である下部分割カルバート２１と上部分割カルバート２２からそれぞれ対向して突出する突出鉄筋５、５を軸方向に重ねて継ぐ重ね継手方法である。これを図１により説明すると、先ず、突出鉄筋５、５を突出して対向する下部分割カルバート２１と上部分割カルバート２２は、その接合部の各突出鉄筋５、５の周囲に突出鉄筋５の突出長さと同じ長さであるスパイラルシースパイプ６の概略１／２の長さを挿入する深さのスパイラルシースパイプ挿入孔８をそれぞれ形成して有するものとする。
【００１７】
これらの対向する下部分割カルバート２１と上部分割カルバート２２を用意し、下方に位置する下部分割カルバート２１の上向きに形成したスパイラルシースパイプ挿入孔８にスパイラルシースパイプ６の概略１／２の長さを挿入する。特に、スパイラルシースパイプ６として請求項４の発明に係る表面処理した軟鋼板、例えば錫メッキ鋼板であるブリキ製のものを挿入する。この挿入したスパイラルシースパイプ６の突出鉄筋５の周囲に無収縮性のグラウト７をスパイラルシースパイプ６の上端近くまで充填する。次いでこの下部分割カルバート２１上に下向きのスパイラルシースパイプ挿入孔８と下向きに突出する突出鉄筋５を有する上部分割カルバート２２を上方から積載して下向きに突出する突出鉄筋５を上向きの鉄筋４の横に重ねて下側の無収縮性のグラウト７内に挿入する。この下向きの突出鉄筋５の挿入でグラウト７はスパイラルシースパイプ６を充填するものとなる量としておく。次いで無収縮性のグラウト７の硬化を待って重ねた突出鉄筋５、５とスパイラルシースパイプ６を無収縮性のグラウト７で接合硬化して一体化して下部分割カルバート２１と上部分割カルバート２２からなる大型分割式ボックスカルバート２０である分割式鉄筋コンクリート構造物要素１の接合を完了して鉄筋コンクリート構造物とする。
【００１８】
次に、請求項２に係る発明の実施の形態について同じく上下に接合する例で説明する。この実施の形態では、分割式鉄筋コンクリート構造物要素１、１である下部分割カルバート２１と上部分割カルバート２２からそれぞれ対向して突出する突出鉄筋５、５を上記の実施の形態と同様に軸方向に重ねて継ぐ重ね継手方法である。
【００１９】
先ず、図２に示すように、下部分割カルバート２１と上部分割カルバート２２の各突出鉄筋５、５の周囲にそれらの重ね部分の長さの概略１／２の長さのスパイラルシースパイプ６を挿入するためのスパイラルシースパイプ挿入孔８を有する下部分割カルバート２１と上部分割カルバート２２を用意する。これらの下部分割カルバート２１と上部分割カルバート２２のスパイラルシースパイプ挿入孔８、８にこれらの孔の深さと同じ長さのスパイラルシースパイプ６、６をそれぞれ挿入する。特に、スパイラルシースパイプ６として請求項４の発明に係る表面処理した軟鋼板、例えば錫メッキ鋼板であるブリキ製のものを挿入する。下方に設置する下部分割カルバート２１のスパイラルシースパイプ挿入孔８に挿入したスパイラルシースパイプ６に連通するグラウト注入孔９を下部分割カルバート２１の下部側壁２５の表面に開口しておく。一方、上方に積んで接合する上部分割カルバート２２に挿入したスパイラルシースパイプ６に連通するグラウト流出孔１０をこの上部分割カルバート２２の上部側壁２６の表面に開口する。さらに、それぞれの下部分割カルバート２１と上部分割カルバート２２のスパイラルシースパイプ６、６内にやや小径の補強シースパイプ１１の半長を挿着する。この補強シースパイプ１１を挿着した下部分割カルバート２１にスパイラルシースパイプ挿入孔８および突出鉄筋５を有する上部分割カルバート２２を当接して下方から突出する補強シースパイプ１１の半長を上部分割カルバート２２内のスパイラルシースパイプ６内に重ねて挿着し、下部分割カルバート２１に上部分割カルバート２２を載置して当接する。次いでグラウト注入孔９から無収縮性のグラウト７を注入してスパイラルシースパイプ６内を充満する。無収縮性のグラウト７の硬化を待って重ねた突出鉄筋５、５とスパイラルシースパイプ６と補強シースパイプ１１を無収縮性のグラウト７で接合して一体化して下部分割カルバート２１と上部分割カルバート２２からなる大型分割式ボックスカルバート２０である鉄筋コンクリート構造物の接合を完了する。
【００２０】
さらに、請求項３に係る発明の実施の形態について同じく上下に接合する例で説明する。この実施の形態では、対向して接続する分割式鉄筋コンクリート構造物要素１、１である下部分割カルバート２１と上部分割カルバート２２において、例えば、下部分割カルバート２１から突出する突出鉄筋５を上部分割カルバート２２の下端３から非突出の鉄筋４に軸方向に重ねて継ぐ重ね継手方法である。図３に示すように、上部分割カルバート２２の非突出の鉄筋４の周囲に重ね継手の鉄筋の重ね部分の長さと同じ長さのスパイラルシースパイプ挿入孔８を開口し、この孔の長さのスパイラルシースパイプ６を挿入する。特に、スパイラルシースパイプ６として請求項４の発明に係る表面処理した軟鋼板、例えば錫メッキ鋼板であるブリキ製のものを挿入する。この挿入したスパイラルシースパイプ６の両端部に上部分割カルバート２２の下向きの上部側壁２６の表面にスパイラルシースパイプ挿入孔８に達するグラウト注入孔９とグラウト流出孔１０を開口する。この上部分割カルバート２２のスパイラルシースパイプ６内に下部分割カルバート２１から突出する突出鉄筋５を上部分割カルバート２２の非突出の鉄筋４に重ねて挿入し、下部分割カルバート２１に上部分割カルバート２２を載置して当接する。次いでグラウト注入孔９から無収縮性のグラウト７を注入してスパイラルシースパイプ６内を充満する。図４に示すように、下部分割カルバート２１と上部分割カルバート２２の継目にはモルタルなどにより目地１２を形成する。無収縮性のグラウト７の硬化を待って重ねた鉄筋４及び５とスパイラルシースパイプ６を無収縮性のグラウト７で接合して一体化して下部分割カルバート２１と上部分割カルバート２２からなる大型分割式ボックスカルバート２０である鉄筋コンクリート構造物の接合を完了する。
【００２１】
以上は、いずれの実施の形態も大型分割式ボックスカルバート２０によるものであったが、図５に示す分割式の大型Ｕ型開通路３０においても、それぞれ上記の大型分割式ボックスカルバート２０の接合方法と同様の３様の接合方法とする実施の形態により接合して敷設することができる。この場合、大型分割式ボックスカルバート２０の下部分割カルバート２１に相当するものは、図５において、大型分割式Ｕ型開通路３０の底版３１であり、底版３１は上向きの下部側壁３２を左右に一体に有しており、上部分割カルバート２２の下向きの上部側壁２６は、大型分割式Ｕ型開通路３０の下部側壁３２上に分割されて接合され一体化される左右の上部側壁３３である。従って、底版３１の下部側壁３２の上端部３５と上部側壁３３の下端部３６は接合部３４において、上記の大型分割式ボックスカルバート２０の上記したと同様の３種の結合方法により結合され、一体化されて大型Ｕ型開通路３０に形成される。
【００２２】
請求項４に係る発明の実施の形態では、請求項１〜３の実施の形態において記載したように、スパイラルシースパイプ６として、素材を特に表面処理した軟鋼線からなる網状のパイプ、すなわち錫メッキした鋼網としたものであり、これに代えて煤メッキ鋼板のブリキ製のパイプ形状をしたスパイラルシースパイプ６あるいはコルゲート状のシースパイプとしたことで、素材が軟鋼網あるいは軟鋼板であるので弾性限界を越えたた引っ張り応力が掛かっても、突然破断することなくある程度まで延びることができる。従って、安全性が極めて高いものである。
【００２３】
本発明の分割式鉄筋コンクリート構造物要素の継手の接合方法は、上記の実施の形態では、上下に接合するものであるが、請求項に記載のとおり、上下に限らず前後に接合することができるものである。
【００２４】
【発明の効果】
以上に説明したように、本発明における大型の鉄筋コンクリート構造物の施工は、工場生産によるプレキャストの構造物とし、かつ、分割した構造物要素とすることで、大型のボックスカルバートや大型Ｕ型開通路を現場で省人化して敷設現場で施工でき、さらに、施工作業の安全性が高く、工期が短期間とでき、さらに、スパイラルシースパイプを適用することおよび分割した鉄筋コンクリート構造物の突出する鉄筋を互いに重ね合わせて接合して無収縮製の充填剤で硬化接合することで、鉄筋コンクリート構造物に力が掛かって接合部に引っ張り応力が掛かり、伸びの弾性限界値を越えても、突然に接合部は破断すること無く安全であるなど、従来にない優れた効果を奏するものである。
【図面の簡単な説明】
【図１】本発明の分割式鉄筋コンクリート構造物要素の継手の接合方法の第１の実施の形態の説明図で、（ａ）は下段の分割式鉄筋コンクリート構造物要素の接合端部、（ｂ）は下段の接合端部と上段の接合端部の接合直前の状態、（ｃ）は下段の接合端部と上段の接合端部の接合直後の状態を示す図である。
【図２】本発明の分割式鉄筋コンクリート構造物要素の継手の接合方法の第２の実施の形態の説明図で、（ａ）は下段の分割式鉄筋コンクリート構造物要素の接合端部、（ｂ）は下段の接合端部と上段の接合端部の接合直前の状態、（ｃ）は下段の接合端部と上段の接合端部の接合直後の状態を示す図である。
【図３】本発明の分割式鉄筋コンクリート構造物要素の継手の接合方法の第３の実施の形態の説明図で、（ａ）は下段の分割式鉄筋コンクリート構造物要素の接合端部、（ｂ）は下段の接合端部と上段の接合端部の接合直前の状態、（ｃ）は下段の接合端部と上段の接合端部の接合直後の状態を示す図である。
【図４】図３に示す本発明の接ぎ部構造の詳細を模式的に示す模式図である。
【図５】本発明の継手の接合方法の対象の鉄筋コンクリート構造物がＵ型開通路である場合の説明図である。
【図６】本発明の継手の接合方法の対象の鉄筋コンクリート構造物がボックスカルバートである場合の説明図である。
【図７】図６に示す鉄筋コンクリート構造物のボックスカルバートの斜視図である。
【符号の説明】
１  分割式鉄筋コンクリート構造物要素
２  上端
３  下端
４  鉄筋
５  突出鉄筋
６  スパイラルシースパイプ
７  グラウト
８  スパイラルシースパイプ挿入孔
９  グラウト注入孔
１０  グラウト流出孔
１１  補強シースパイプ
１２  目地
２０  大型分割式ボックスカルバート
２１  下部分割カルバート
２２  上部分割カルバート
２３  底版
２４  頂版
２５  下部側壁
２６  上部側壁
２７  接合部
２８  下部側壁上端部
２９  上部側壁下端部
３０  大型Ｕ型開通路
３１  底版
３２  下部側壁
３３  上部側壁
３４  接合部
３５  上端部
３６  下端部
【図１】
2004360335.tif 000003
【図２】
2004360335.tif 000004
【図３】
2004360335.tif 000005
【図４】
2004360335.tif 000006
【図５】
2004360335.tif 000007
【図６】
2004360335.tif 000008
【図７】
2004360335.tif 000009